(57)【要約】【課題】  予備トイレットペーパを安定して保持可能であり、かつトイレの清掃の邪魔とならない予備トイレットペーパ受けフックおよびこれを備えたトイレットペーパホルダを提供すること。【解決手段】  予備トイレットペーパ受けフック２は、水平方向に延びる腕部２１と、腕部２１の一端から上方へと起立する起立部２２とを備えていることにより、略Ｌ字状である。【選択図】  図１
2006102192.tif 000002
【特許請求の範囲】
【請求項１】
水平方向に延びる腕部と、
上記腕部の一端から上方へと起立する起立部とを備えていることにより、
略Ｌ字状であることを特徴とする、予備トイレットペーパ受けフック。
【請求項２】
上記腕部の水平長さおよび上記起立部の高さは、いずれも５０〜７０ｍｍである、予備トイレットペーパ受けフック。
【請求項３】
トイレットペーパの内孔に挿入されて上記トイレットペーパを保持可能な支持軸と、
上記支持軸が取り付けられた側板と、を備えたトイレットペーパホルダであって、
上記側板における上記支持軸の反対側に請求項１または２に記載の予備トイレットペーパ受けフックが取り付けられていることを特徴とする、トイレットペーパホルダ。
【請求項４】
上記予備トイレットペーパ受けフックは、着脱可能とされている、請求項２に記載のトイレットペーパホルダ。
【発明の詳細な説明】
【技術分野】
【０００１】
本発明は、予備のトイレットペーパを保持しておくためのフック、およびこれを備えたトイレットペーパホルダに関する。
【背景技術】
【０００２】
従来のトイレットペーパホルダの一例としては、図４に示されたものがある。このトイレットペーパホルダＸは、背板９１と、これに連結された側板９２，９３を備えている。側板９２，９３には、切り欠き９２ａ，９３ａが形成されており、トイレットペーパ（図示略）を支持するための支持軸（図示略）を着脱可能に支持する構成とされている。側板９２の下部には、２本の予備トイレットペーパ支持軸９４が取り付けられている。予備トイレットペーパ支持軸９４は、予備トイレットペーパ（図示略）を保持しておくためのものである。このような構成によれば、使用中のトイレットペーパ（図示略）のほかに、あらかじめ２本の予備トイレットペーパ（図示略）を用意しておくことが可能である。したがって、使用者がトイレットペーパを使い切るごとに別のトイレットペーパを保管場所から持ってくるという手間を省くことができ便利である。
【０００３】
しかしながら、予備トイレットペーパ支持軸９４は、水平方向に延びており、予備トイレットペーパをその内孔軸が水平方向を向く姿勢で保持するものである。この場合、予備トイレットペーパ支持軸９４の長さが、予備トイレットペーパの幅よりも短いほど、予備トイレットペーパが傾いて不安定となり、使用者の手が触れるなどすると床に落下してしまうおそれがある。このような不具合を回避するには、予備トイレットペーパ支持軸９４の長さをトイレットペーパの幅程度の長さとする必要がある。また、トイレットペーパホルダＸは、使用中のトイレットペーパ（図示略）の下方に２本の予備トイレットペーパ支持軸９４およびこれらを支持する側板９２の下部が設けられ、大きく嵩張っている。このような構成では、トイレットペーパホルダＸが設置されたトイレ内の清掃をする際に邪魔になるという不具合があった。
【０００４】
【特許文献１】特開平９−２０１３０６号公報（図５）
【発明の開示】
【発明が解決しようとする課題】
【０００５】
本発明は、上記した事情のもとで考え出されたものであって、予備トイレットペーパを安定して保持可能であり、かつトイレの清掃の邪魔とならない予備トイレットペーパ受けフックおよびこれを備えたトイレットペーパホルダを提供することをその課題としている。
【課題を解決するための手段】
【０００６】
上記課題を解決するため、本発明では、次の技術的手段を講じている。
【０００７】
本発明の第１の側面によって提供される予備トイレットペーパ受けフックは、水平方向に延びる腕部と、上記腕部の一端から上方へと起立する起立部とを備えていることにより、略Ｌ字状であることを特徴としている。このような構成によれば、予備トイレットペーパを傾けた状態で安定して保持できる。また、上記予備トイレットペーパ受けフックの小型化が可能である。
【０００８】
本発明の好ましい実施の形態においては、上記腕部の水平長さおよび上記起立部の高さは、いずれも５０〜７０ｍｍである。このような構成によれば、ＪＩＳ規格に準拠したトイレットペーパを、４０〜６０°の角度で安定して保持することができる。
【０００９】
本発明の第２の側面によって提供されるトイレットペーパホルダは、トイレットペーパの内孔に挿入されて上記トイレットペーパを保持可能な支持軸と、上記支持軸が取り付けられた側板と、を備えたトイレットペーパホルダであって、上記側板における上記支持軸の反対側に本発明の第１の側面により提供される予備トイレットペーパ受けフックが取り付けられていることを特徴としている。このような構成によれば、上記トイレットペーパホルダの側方において、予備トイレットペーパを傾けた状態で安定して保持することが可能である。また、トイレ内において省スペース化を図ることができる。
【００１０】
本発明の好ましい実施の形態においては、上記予備トイレットペーパ受けフックは、着脱可能とされている。このような構成によれば、たとえばトイレ内の清掃の際には、上記予備トイレットペーパ受けフックを外しておくことにより、清掃作業を快適に行うことができる。
【００１１】
本発明のその他の特徴および利点は、添付図面を参照して以下に行う詳細な説明によって、より明らかとなろう。
【発明を実施するための最良の形態】
【００１２】
以下、本発明の好ましい実施の形態につき、図面を参照して具体的に説明する。
【００１３】
図１は、本発明に係るトイレットペーパホルダの一例を示している。本実施形態のトイレットペーパホルダＡは、２つの側板１１、カバー板１２、背板１３、および支持軸１４からなる本体１と、２つのフック２とを具備して構成されている。フック２は、本発明に係る予備トイレットペーパ受けフックの一例である。
【００１４】
背板１３は、略矩形状の樹脂製板であり、トイレットペーパホルダＡをトイレ内の壁面等に設置するために用いられるものである。背板１３を用いた設置は、たとえばボルト（図示略）や接着剤（図示略）を用いて行われる。
【００１５】
２つの側板１１は、互いに離間して背板１３の両端に取り付けられている。各側板１１は、前方に膨出する部分を有する形状とされた樹脂製の厚板である。２つの側板１１間の距離はトイレットペーパＰの幅よりも大とされている。２つの側板１１の間には、支持軸１４が設けられている。支持軸１４は、トイレットペーパＰを回転可能に支持するためのものであり、各側板１１の内向き面１１ａに回転および着脱可能に支持されている。
【００１６】
２つの側板１１の外向き面１１ｂには、それぞれフック２が取り付けられている。これらのフック２は、図２に示すように、予備トイレットペーパＰｓおよび使用済みのロールＲを保持するためのものである。各フック２は、幅１５ｍｍ程度の金属の帯板を折り曲げ加工した芯材に樹脂コート２４を施して形成されている。各フック２は、水平方向に延びる腕部２１と、腕部２１の一端から起立するように形成された起立部２２とを有しており、略Ｌ字状とされている。起立部２２には、その先端を緩やかに折り曲げることにより舌部２２ａが形成されている。舌部２２ａの傾斜角度は、４５°程度である。本実施形態においては、腕部２１の長さＬ、および起立部２２の高さＨは、ともに５５ｍｍとされている。これは、国内におけるトイレットペーパの規格（ＪＩＳ  Ｐ４５０１−１９９３）から、一般的にトイレットペーパＰの幅Ｗが１１４ｍｍ程度、外径Ｄが１２０ｍｍ以下、内孔Ｏの内径ｄが３８ｍｍ程度とされていることを条件に、後述する本発明の意図する効果を発揮するのに好適な寸法とされたものである。
【００１７】
図３に示すように、各フック２は、本体１に対して着脱可能とされている。フック２には、腕部２１の一端において図中下方に延びる差込部２３が形成されている。一方、各側板１１の外向き面１１ｂには、ブラケット３１が設けられている。ブラケット３１は、たとえば矩形状の金属板を折り曲げ加工したものであり、外向き面１１ｂとの間に孔３１ａを形成している。フック２の差込部２３は、孔３１ａに挿入可能なサイズとなっている。本実施形態においては、ブラケット３１は、外向き面１１ｂに対してボルト（図示略）または接着剤（図示略）により固定されているが、これに限定されず、たとえば側板１１とブラケット３１とを樹脂成型により一体的に形成しても良い。
【００１８】
カバー板１２は、図１に示すように、２つの側板１１間における上方寄りに設けられており、トイレットペーパＰの一部を所望の長さに切断するのを補助するためのものである。カバー板１２は、略矩形状でありその先端部分がトイレットペーパＰに沿うように円弧状とされている。カバー板１２は、各側板１１に対して回転可能に支持されており、トイレットペーパＰを取替える際に邪魔とならない構成となっている。
【００１９】
次に、トイレットペーパホルダＡおよびフック２の作用について説明する。
【００２０】
本実施形態によれば、図２に示すように、予備トイレットペーパＰｓを傾けた状態で安定して保持することができる。具体的には、予備トイレットペーパＰｓを保持する際には、フック２の真上から予備トイレットペーパＰｓを近づけて、その内孔Ｏに起立部２２を挿入させていく。予備トイレットペーパＰｓの下端が腕部２１に当接すると、起立部２２が予備トイレットペーパＰｓの幅Ｗよりも短いために、予備トイレットペーパＰｓは外側へと傾く。予備トイレットペーパＰｓが外側に傾くと、内孔Ｏの図中上側部分が起立部２２の舌部２２ａと当接するとともに、内孔Ｏの図中下側部分が腕部２１の端部と当接する。本実施形態においては、内孔Ｏの内径ｄが３８ｍｍ程度であるのに対し、起立部２２の高さＨが５５ｍｍとされていることにより、予備トイレットペーパＰｓを傾斜角度θが約４５°の姿勢で安定して保持可能である。
【００２１】
また、予備トイレットペーパＰｓの外径Ｄが１２０ｍｍ以下であるのに対し、腕部２１の長さＬが５５ｍｍとされていることにより、傾斜角度θが約４５°となった状態で、予備トイレットペーパＰｓの図中左下角部が側板１１の外向き面１１ｂに接することとなる。このため、予備トイレットペーパＰｓが鉛直方向軸周りに不当に回転して不安定な姿勢となることを防止するのに適している。
【００２２】
なお、腕部２１の長さＬおよび起立部２２の高さＨが５０〜７０ｍｍである構成とすれば、予備トイレットペーパＰｓを傾斜角度θが４０〜６０°となる状態で安定して保持することができる。
【００２３】
さらに、舌部２２ａの傾斜角度が４５°程度とされていることにより、舌部２２ａと内孔Ｏの内面とを面接触させることが可能であり、予備トイレットペーパＰｓを傾斜角度θが４５°の姿勢で保持するのに適している。また、樹脂コート２４は、たとえば金属などと比べて紙との摩擦係数が高い。このため、予備トイレットペーパＰｓを安定して保持するのに有利である。
【００２４】
このように本実施形態によれば、予備トイレットペーパＰｓを傾斜角度θが４５°の姿勢で安定して保持するのに好適である。したがって、トイレの使用者が予備トイレットペーパＰｓに触れるなどしても予備トイレットペーパＰｓが床面に落ちてしまうおそれが少ない。また、図４に示された従来技術の例のようにトイレットペーパの幅と同程度の支持軸９４を備えた構成においては、予備トイレットペーパを抜き取るのに、その幅以上の距離を移動させる必要がある。これと異なり、本実施形態においては、図２に示すように、予備トイレットペーパＰｓの幅Ｗの半分程度の距離だけ移動させれば、予備トイレットペーパＰｓを抜き取ることが可能であり便利である。なお、使用済みのロールＲを一時的に保持しておくことも可能である。
【００２５】
以上に加えて、本実施形態によれば、省スペース化を図るのに好適である。つまり、フック２は、上述したとおり予備トイレットペーパＰｓを安定して保持可能であるにもかかわらず、その高さＨおよび長さＬは、いずれも予備トイレットペーパＰｓの幅Ｗの半分程度である。このため、予備トイレットペーパＰｓを保持していない場合に、本体１から突出する部分が少なく、使用者の邪魔となることが少ない。また、フック２は着脱可能とされているために、たとえばトイレ内の清掃の際には、フック２を本体１から取り外しておくことができる。したがって、清掃に用いられるモップなどがフック２に引っかかるといった不具合も無く、清掃作業を快適に行うことができる。
【００２６】
本発明に係る予備トイレットペーパ受けフックおよびトイレットペーパホルダは、上述した実施形態に限定されるものではない。本発明に係る予備トイレットペーパ受けフックおよびトイレットペーパホルダの各部の具体的な構成は、種々に設計変更自在である。
【００２７】
予備トイレットペーパ受けフックは、トイレットペーパホルダと着脱可能とすることが、清掃における作業性向上の点で好ましいが、トイレットペーパホルダと一体的に形成しても、予備トイレットペーパを安定して保持可能という効果を発揮可能である。
【００２８】
予備トイレットペーパ受けフックは、樹脂コートが施された金属部材に限定されず、ゴム製コートを施した金属部材でも良いし、全体を比較的摩擦係数の高い樹脂で形成しても良い。
【００２９】
予備トイレットペーパ受けフックの着脱機構としては、図３に示す差込部２３とブラケット３１による機構に限定されず、使用者が手軽に着脱可能な機構であればよい。
【００３０】
予備トイレットペーパ受けフックは、図２に示すように本体１の両側に設けることが便利であるが、片側のみに設けた構成であっても本発明の意図する効果を発揮することはもちろんである。
【図面の簡単な説明】
【００３１】
【図１】本発明にトイレットペーパホルダの一例を示す全体斜視図である。
【図２】本発明にトイレットペーパホルダの一例を示す正面図である。
【図３】本発明にトイレットペーパホルダの一例を示す要部斜視図である。
【図４】従来のトイレットペーパホルダの一例を示す全体斜視図である。
【符号の説明】
【００３２】
Ａ      トイレットペーパホルダ
Ｄ      トイレットペーパの外径
ｄ      トイレットペーパの内径
Ｈ      起立部の高さ
Ｌ      腕部の水平長さ
Ｏ      内孔
Ｐ      トイレットペーパ
Ｐｓ    予備トイレットペーパ
Ｒ      ロール
Ｗ      トイレットペーパの幅
１      本体
１１    側板
１１ａ  内向き面
１１ｂ  外向き面
１２    カバー板
１３    背板
１４    支持軸
２      （予備トイレットペーパ受け）フック
２１    腕部
２２    起立部
２２ａ  舌部
２３    差込部
２４    樹脂コート
３１    ブラケット
３１ａ  孔
【図１】
2006102192.tif 000003
【図２】
2006102192.tif 000004
【図３】
2006102192.tif 000005
【図４】
2006102192.tif 000006